(57)【要約】      （修正有）【課題】家庭で作ったサンドイッチやおにぎり等の食品を個別収容する包装袋で、特別な器具を使わなくても製品のように内部を空気で満たして膨らんだ状態で密封でき、簡単に開封でき、しかも安価に製造できる包装袋を提供する。【解決手段】フィルム材からなり、食品を内部に受け入れるための開口部となる上辺部２１ａを残して外周が閉鎖された袋本体２１と、所定幅Ｗで上辺部２１ａとほぼ等しい長さを有し、上辺部２１ａに平行に且つ上辺部２１ａから少なくとも所定幅Ｗの２倍以上の間隔Ｇを開けて袋本体２１の表面に一面側が貼付けられた両面接着テープ２２とを備える。袋本体２１の開口部から食品を収容させてから、上辺部２１ａと両面接着テープ２２までの部分を上辺部２１ａ側から複数回折り畳んで両面接着テープ２２の表面に接着させることで、開口側の空気を袋本体内側に移動させた状態で密封できるようにした。【選択図】図１
0003177454.tif 000002
【実用新案登録請求の範囲】
【請求項１】
フィルム材からなり、食品を内部に受け入れるための開口部となる一辺部（２１ａ）を残して外周が閉鎖された袋本体（２１）と、
所定幅で前記開口部となる一辺部とほぼ等しい長さを有し、前記開口部となる一辺部に平行に且つ前記開口部となる一辺部から少なくとも前記所定幅の２倍以上の間隔を開けて前記袋本体の表面に一面側が貼付けられた両面接着テープ（２２）とを備え、
前記袋本体の前記開口部から食品を収容させてから、該開口部となる一辺部と前記両面接着テープまでの部分を該一辺部側から前記両面接着テープ側に複数回折り畳んで前記両面接着テープの表面に接着させることで、前記開口部側の空気を前記袋本体内側に移動させた状態で密封できるようにしたことを特徴とする食品用包装袋。
【請求項２】
前記袋本体は、外周から内方へ引き裂くことができる構造のフィルム材によって形成されていることを特徴とする請求項１記載の食品用包装袋。
【請求項３】
前記開口部となる一辺部から前記両面接着テープまでの領域に、折り畳み用の目印（２３、２４）を表示したことを特徴とする請求項１または請求項２記載の食品用包装袋。
【考案の詳細な説明】
【技術分野】
【０００１】
本考案は、手作りのサンドイッチやワッフル、おむすび等の食品の包装に適した食品用包装袋に関し、特に、収容食品に外力が伝わりにくいように内部を空気で満たして膨らんだ状態で密封できるようにするための技術に関する。
【背景技術】
【０００２】
店頭で製品として販売されているサンドイッチや菓子パンの包装袋には、商品運搬の際に外力が加わって収容物であるサンドイッチや菓子パンがつぶれてしまうのを防ぐために、内部を空気で満たして膨らませた状態で、外縁が熱シール加工されて密封されている。
【０００３】
このような食品を製造する工場では、包装袋の素材となるフィルムをローラーで送り出しながら袋状に成形し、その内部に食品を収容させて、その周りを熱シール加工し、個別に切り出して出荷しており、熱シール加工の際に袋内部に空気等を充填させて膨らんだ状態で密封している。
【０００４】
しかし、家庭で例えばサンドイッチを作った場合、製品のような熱シール加工機による包装はできず、いかにも家で作ったとわかる包装になってしまい、人前で食べるのに恥ずかしい思いをすることがある。
【０００５】
また、家庭で空気を充填させつつ食品を包装できる袋として、ファスナー付き袋を転用することが考えられる。ファスナー付きの袋は例えば次の特許文献１に開示されている。
【先行技術文献】
【特許文献】
【０００６】
【特許文献１】特開２００５−２７１９６８
【考案の概要】
【考案が解決しようとする課題】
【０００７】
しかしながら、ファスナー付き袋を用いた場合、ファスナーを開いて食品を中に入れ、ファスナーを一部を残して閉じ、その僅かに開いた部分から空気を送り込む必要があり、そのための器具が別途必要である。また、このようなファスナー付き袋は、再利用を前提としており、丈夫で柔らかいポリエチレン製であるので、袋単価が高く、市販の袋のように端から引き裂いて開封ができない。
【０００８】
本考案はこの問題を解決し、家庭で作ったサンドイッチやパン、ワッフル、おにぎり等の食品を収容する包装袋で、特別な器具を使わなくても製品のように内部を空気で満たして膨らんだ状態で密封でき、簡単に開封でき、しかも安価に製造できる食品用包装袋を提供することを目的としている。
【課題を解決するための手段】
【０００９】
前記目的を達成するために、本考案の請求項１の食品用包装袋は、
フィルム材からなり、食品を内部に受け入れるための開口部となる一辺部（２１ａ）を残して外周が閉鎖された袋本体（２１）と、
所定幅で前記開口部となる一辺部とほぼ等しい長さを有し、前記開口部となる一辺部に平行に且つ前記開口部となる一辺部から少なくとも前記所定幅の２倍以上の間隔を開けて前記袋本体の表面に一面側が貼付けられた両面接着テープ（２２）とを備え、
前記袋本体の前記開口部から食品を収容させてから、該開口部となる一辺部と前記両面接着テープまでの部分を該一辺部側から前記両面接着テープ側に複数回折り畳んで前記両面接着テープの表面に接着させることで、前記開口部側の空気を前記袋本体内側に移動させた状態で密封できるようにしたことを特徴とする。
【００１０】
また、本考案の請求項２の食品用包装袋は、請求項１記載の食品用包装袋において、
前記袋本体は、外周から内方へ引き裂くことができる構造のフィルム材によって形成されていることを特徴とする。
【００１１】
また、本考案の請求項３の食品用包装袋は、請求項１または請求項２記載の食品用包装袋において、
前記開口部となる一辺部から前記両面接着テープまでの領域に、折り畳み用の目印（２３、２４）を表示したことを特徴とする。
【考案の効果】
【００１２】
このように構成されているので、本考案の請求項１の食品用包装袋では、家庭などで作ったサンドイッチ、おむすび等の食品を、袋本体の開口部から内部に入れて、その開口部となる一辺部から両面接着テープの方向に複数回折り畳んで両面接着テープに接着させることで、内部に空気が充満された状態で食品を密封でき、市販のサンドイッチやおむすび等と同じ感覚で取り出して食することができる。
【００１３】
また、本考案の請求項２の食品用包装袋では、袋本体が外周から内方へ引き裂くことができる構造のフィルム材によって形成されているので、市販物と同様に収容食品を簡単に取り出して食することができる。
【００１４】
また、本考案の請求項３の食品用包装袋では、開口部となる一辺部から両面接着テープまでの領域に、折り畳み用の目印を表示したので、内部に空気を充満させた状態での密封作業を容易に且つ確実に行うことができる。
【図面の簡単な説明】
【００１５】
【図１】本考案の実施形態の正面図
【図２】実施形態の使用方法を説明するための図
【図３】実施形態の使用方法を説明するための図
【図４】袋本体の形状の変形例を示す図
【図５】袋本体の形状の変形例を示す図
【考案を実施するための形態】
【００１６】
以下、図面に基づいて本考案の実施の形態を説明する。
図１は、本考案を適用した食品用包装袋２０を示している。
【００１７】
この食品用包装袋２０は、フィルム材で袋状に形成された袋本体２１と、袋本体２１に貼り付けられた両面接着テープ２２によって構成されている。
【００１８】
袋本体２１は、矩形の２枚のシート材が重ね合わされ、その４辺を構成する上辺部２１ａ、左右の側辺部２１ｂ、２１ｃ、下辺部２１ｄのうち、物品を内部に収容するための開口部となる一辺部である上辺部２１ａを残して、他の外周が閉鎖された構造を有している。
【００１９】
この袋本体２１は、例えばポリプロピレン（ＰＰ）製の矩形フィルムの両端を熱圧着して上下両端が開口された筒状にし、さらにその下端側を熱圧着しつつ全体を薄く押圧してすることで上辺部側が開口部となるように構成することができる。
【００２０】
また、袋本体２１の構造は上記例に限定されるものではなく、矩形のフィルム材をその中心線で半分に折り重ね、その両側縁を熱圧着したり、外形が等しい２枚のフィルム材を重ね合わせた状態で、受け入れるための開口部となる上辺部だけを残して外周縁全体を熱圧着したものでもよい。
【００２１】
この袋本体２１の一面側には、所定幅Ｗで袋本体２１の上辺部２１ａとほぼ等しい長さＬを有する両面接着テープ２２が、上辺部２１ａに平行に且つ上辺部２１ａから少なくとも所定幅Ｗの２倍以上（この例では３倍）の間隔Ｇを開けて貼付けられている。この両面接着テープ２２の一面側は袋本体２１に接着しており、反対面（表面側）は剥離紙２２ａで覆われている。
【００２２】
また、袋本体２１の表面で、両面接着テープ２２から袋本体２１の上辺部２１ａまで領域には、折り畳み用の目印となる複数（この例では２本）の線２３、２４がテープ幅Ｗとほぼ等しい間隔で平行に表示されている。
【００２３】
また、袋本体２１を構成するフィルム材は、手で外周から内方へ引き裂くことができる構造、即ち、ポリプロピレン（ＰＰ）製で一軸方向に切り裂き可能な一軸延伸フィルムあるいは直交２軸方向に切り裂き可能な二軸延伸フィルムにより形成されており、さらに切り裂き易いように外周の一部（この例では、熱圧着された合わせ部分の下辺部２１ｄ）に、切り込み２７、２７が設けられている。
【００２４】
このように構成された食品用収容袋２０に、手作りのサンドイッチやおにぎり等の食品を収容する場合、図２の（ａ）のように、上辺部２１ａの開口部を開いて、食品Ｆを中に入れ、図２の（ｂ）のように、線２３の位置で折り畳む（このとき上辺部２１ａの端が線２４と重なる）。
【００２５】
次に、図２の（ｃ）のように、その折り畳んだ部分（１重折り畳み部分）をさらに線２４の位置で内側に折り畳む。このとき折り畳んだ部分（２重折り畳み部分）の端は、両面接着テープ２２の上エッジに近接する。
【００２６】
最後に、両面接着テープ２２の剥離紙２２ａを剥がした状態（先に剥がしてもよい）で、図２の（ｄ）のように、２重折り畳み部分をさらに両面接着テープ２２側に折り畳み、両面接着テープ２２の接着面に重ね合わせて接着させる。
【００２７】
このように、開口が閉じられた上辺部２１ａから内側に向かって複数回折り畳むことで、上辺部２１ａの空気Ｅが袋本体２１の内側に移動して、袋内部に空気Ｅが充満され、且つ３回の折り畳みにより内部の空気が抜けにくい状態となり、その折り畳んだ部分を両面接着テープ２２に接着させることで、内部に空気が充満された状態で密封でき、内部に収容した食品Ｆの外力による潰れを防止できる。
【００２８】
そして、この食品Ｆを食するときには、図３のように、袋本体２１の外周の切り込み２７を手で引き裂けば、袋が破れて食品Ｆを取り出すことができる。
【００２９】
このように、実施形態の食品用収容袋２０を用いれば、特別な器具を使わずに、また安価に、空気が充満された状態で食品を密封することができ、市販物とほぼ同じ感覚で扱うことができる。また、袋本体を外周縁から引き裂くことができる構造のフィルム材を用いれば、さらに市販物に近い簡単な操作で収容物を取り出すことができる。
【００３０】
また、上記実施例のように、開口部となる上辺部２１ａから両面接着テープ２２までの間に折り畳みの目印が表示されていれば、誰でも確実に空気を充満させた状態で密封できる。
【００３１】
なお、上記実施形態は、袋本体２１の外形が矩形の例であったが、収容する食品の外形に応じて袋本体２１の外形を種々変形することが可能である。
【００３２】
例えば、おむすびのような三角形の食品Ｆを収容する場合には、図４の（ａ）のように、その収容に必要な三角部分と折り畳みに必要な矩形部分とを有する外形５角形（ベース型）の袋本体２１を用い、食品Ｆを袋本体２１の開口部となる上辺部２１ａから三角部分まで入れて、矩形部分を上辺部２１ａ側から線２３、２４を目印にして前記同様に折り畳んで両面接着テープ２２に接着させることで、図４の（ｂ）のように全体として三角形の袋に空気が充満された状態で食品Ｆを密封できる。
【００３３】
また、半円形の食品Ｆを収容する場合には、図５の（ａ）のように、その収容に必要な半円形部分と折り畳みに必要な矩形部分とを有する半長円形の袋本体２１を用いればよく、食品Ｆを袋本体２１の開口部となる上辺部２１ａから半円部分まで入れて、矩形部分を上辺部２１ａから線２３、２４を目印にして前記同様に折り畳むことで、図５の（ｂ）のように全体として半円形の袋に空気が充満された状態で食品Ｆを密封できる。
【００３４】
なお、上記した実施形態に設けた切り込み２７は、袋本体２１の外縁の例えば熱圧着された重なり部分に設けられているが、袋本体２１自体が引き裂き可能な構造を有しているから、この切り込み２７がなくても外縁から引き裂いて内部の食品Ｆを取り出すことができる。
【００３５】
また、折り畳み用の目印は、上記のような線だけでなく、マーク等で示してもよく、また、異なる色や模様の帯で区別してもよい。
【００３６】
また、袋本体２１の上辺部２１ａから両面接着テープ２２までの間隔Ｇは、テープ幅Ｗの２倍あるいは５倍以上でもよいが、密封の確実性と袋の大きさとの兼ね合いで３倍、４倍程度が望ましい。
【符号の説明】
【００３７】
２０……食品用収容袋、２１……袋本体、２２……両面接着テープ、２３、２４……線、２７……切り込み
【図１】
0003177454.tif 000003
【図２】
0003177454.tif 000004
【図３】
0003177454.tif 000005
【図４】
0003177454.tif 000006
【図５】
0003177454.tif 000007